(57)【要約】【課題】脚部、台部をコンパクトに折り畳むことで不使用時の収納性を向上する。【解決手段】脚部３は、角筒状に折り曲げ可能とさせる複数の折り込み部４と、脚部３の両端部を接合し固定する固定部５とを備え、台部２の下面には角筒状に組み立てた脚部３の開口端を嵌合する嵌合連結部６を備える。台部２は周縁に突部を備えた底盤１１と、枠状に折り曲げ可能とした複数の折り込み部４、両端部を接合し固定する固定部５、前記底盤１１周縁の突部１５を嵌合する溝部１４それぞれを備えた周壁部１２とからなる。固定部５は脚部３の接合対向面を段差８によって互いに肉薄に形成し、一方の接合面に形成した嵌挿孔部５ａと、嵌挿孔部５ａに嵌挿する他方の接合面に突設した嵌挿突部５ｂとを備え、折り込み部４は脚部３の各角部位置に対応して２条が並行となったＶ字溝条によって形成し、その開口角度を４５度に形成する。【選択図】図６
2009207648.tif 000002
【特許請求の範囲】
【請求項１】
鏡餅を載せる台部と、該台部を下方から支持する脚部とを備えてなる鏡餅用三方において、脚部はこれを角筒状に折り曲げ可能とした複数の折り込み部と、脚部の両端部を接合し固定する固定部とを備えてなり、台部の下面には角筒状に組み立てられた脚部の開口端を嵌合させる嵌合連結部を備えてなることを特徴とする鏡餅用三方。
【請求項２】
台部は、周縁に突部を備えた底盤と、枠状に折り曲げ可能とした複数の折り込み部、両端部を接合し固定する固定部、前記底盤周縁の突部を嵌合させる溝部それぞれを備えた周壁部とからなる請求項１記載の鏡餅用三方。
【請求項３】
固定部は、脚部両端の接合対向面が段差によって互いに肉薄となって形成され、一方の接合面に形成された嵌挿孔部と、該嵌挿孔部に嵌挿されるよう他方の接合面に突設された嵌挿突部とからなる請求項１または２記載の鏡餅用三方。
【請求項４】
折り込み部は、脚部の各角部位置に対応して２条が並行となったＶ字溝条に形成され、その開口角度が４５度に形成されている請求項１乃至３のいずれか記載の鏡餅用三方。
【請求項５】
台部の底盤には、これを中央から２つに折り畳み可能とする切溝部が形成されてなる請求項１乃至４のいずれか記載の鏡餅用三方。
【発明の詳細な説明】
【技術分野】
【０００１】
本発明は、主として鏡餅を載置して飾るための組立式による鏡餅用三方に関する。
【背景技術】
【０００２】
従来、この種の鏡餅用三方としては、特許文献１に開示されているように、鏡餅を載置するための台部と、この台部を下方から支持するために、上面から見て台部よりも一回り小さい略正方形の枠状に形成された脚部とから構成されており、脚部の上端に脚部自体の上方へ突出して形成されていた４つの係止片を、台部に形成された４つの係止孔に差し込んで組み立てられる。そして、この三方に鏡餅を載置するために台部の上面を平坦にすべく、台部の上面に突出した係止片は折り曲げられている。
【特許文献１】特開２００２−２８０６８号公報
【発明の開示】
【発明が解決しようとする課題】
【０００３】
しかしながら、このような従来の三方において、台部の４つの係止孔に脚部上端の４つの係止片をそれぞれ差し込んだ際には、該係止片が台部の係止孔を通して上方に突出されるため、当該台部に載置される鏡餅の支障となる。すなわち、鏡餅の重量によって係止片が下方に押されて係止孔から外れ、三方が分解してしまう虞がある。しかも、このように脚部自体に係止片が一体形成されていることから台部との組み立ても面倒であり、且つ脚部自体の製作工程も複雑なものとなる。また、脚部は略正方形の枠状に形成されているため、コンパクトに折り畳んでおくことができず、不使用時の際の台部内への収納性が劣るものとなるという問題点を有していた。
【０００４】
そこで、本発明は叙上のような従来存した諸事情に鑑み創出されたもので、脚部を台部に組み付けた際に、当該台部に載置される鏡餅の支障とならないようにし、且つ台部に対する脚部の組み付けも容易となり、また脚部および台部をコンパクトに折り畳めるようにすることで不使用時の際の収納保管性が向上するものとした組立式による鏡餅用三方を提供することを目的とする。
【課題を解決するための手段】
【０００５】
上述した課題を解決するため、本発明にあっては、鏡餅を載せる台部２と、該台部２を下方から支持する脚部３とを備えてなる鏡餅用三方において、脚部３はこれを角筒状に折り曲げ可能とした複数の折り込み部４と、脚部３の両端部を接合し固定する固定部５とを備えてなり、台部２の下面には角筒状に組み立てられた脚部３の開口端を嵌合させる嵌合連結部６を備えてなるものである。
台部２は、周縁に突部を備えた底盤１１と、枠状に折り曲げ可能とした複数の折り込み部４、両端部を接合し固定する固定部５、前記底盤１１周縁の突部１５を嵌合させる溝部１４それぞれを備えた周壁部１２とからなるものとすることができる。
固定部５は、脚部３両端の接合対向面が段差８によって互いに肉薄となって形成され、一方の接合面に形成された嵌挿孔部５ａと、該嵌挿孔部５ａに嵌挿されるよう他方の接合面に突設された嵌挿突部５ｂとからなるものとすることができる。
折り込み部４は、脚部３の各角部位置に対応して２条が並行となったＶ字溝条によって形成され、その開口角度が４５度に形成されているものとすることができる。
台部２の底盤１１には、これを中央から２つに折り畳み可能とする切溝部１３が形成されてなるものとすることができる。
【０００６】
以上のように構成された本発明に係る鏡餅用三方にあって、脚部３はこれの折り込み部４を介して折り曲げ、当該脚部３の両端部を固定部５を介して固定することで角筒状に組み立てられ、台部２の下面における嵌合連結部６に装着可能にさせる。
また、周壁部１２はこれの折り込み部４を介して折り曲げ、当該周壁部１２の両端部を固定部５を介して固定することで枠状に組み立てられ、底盤１１周縁の突部１５を周壁部１２の溝部１４に嵌合させることで、ほぼ皿状となった台部２を形成させる。
そして、固定部５は、互いに肉薄となって形成された接合対向面同士が接合され、一方の接合面の嵌挿孔部５ａに、他方の接合面の嵌挿突部５ｂが嵌挿されることで固定可能にさせる。
さらに、脚部３の各角部位置に対応して２条が並行となって形成され、その開口角度が４５度のＶ字溝条による折り込み部４は、脚部３の各角部に切欠平坦面を形成させる。
【発明の効果】
【０００７】
本発明によれば、脚部３を台部２に組み付けた際に、当該台部２に載置される鏡餅の支障とならないようにすることができ、且つ台部２に対する脚部３の組み付けも容易となり、また脚部３および台部２がコンパクトに折り畳めることで不使用時の際の収納保管性が向上する。
【０００８】
すなわちこれは、本発明が、脚部３はこれを角筒状に折り曲げ可能とした複数の折り込み部４と、脚部３の両端部を接合し固定する固定部５とを備えてなり、台部２の下面には角筒状に組み立てられた脚部３の開口端を嵌合させる嵌合連結部６を備えてなるからであり、これにより、脚部３に特別な加工を施さなくても台部２に対する脚部３の組み付けが容易に行える。また、脚部３を台部２に組み付けた際に、従来のように鏡餅の重量によって脚部３の係止片が下方に押されて台部２の係止孔から外れ、台部２から脚部３が外れてしまうという欠点を解消することができる。さらに、脚部３は固定部５を外してから折り込み部４を介してコンパクトに折り畳めることから、不使用時の際の例えば台部２内側への収納性が向上するものとなる。
【０００９】
台部２は、周縁に突部を備えた底盤１１と、枠状に折り曲げ可能とした複数の折り込み部４、両端部を接合し固定する固定部５、前記底盤１１周縁の突部１５を嵌合させる溝部１４それぞれを備えた周壁部１２とからなるので、周壁部１２を折り込み部４を介して折り曲げ、当該周壁部１２の両端部を固定部５を介して固定することで枠状に組み立ててから、底盤１１周縁の突部１５を周壁部１２の溝部１４に嵌合させることで、ほぼ皿状となった台部２を容易に形成することができる。また、底盤１１から外された周壁部１２は固定部５を外してから折り込み部４を介してコンパクトに折り畳めることから、不使用時の際の台部２自体の収納保管性が向上するものとなる。
【００１０】
固定部５は、脚部３両端の接合対向面が段差８によって互いに肉薄となって形成され、一方の接合面に形成された嵌挿孔部５ａと、該嵌挿孔部５ａに嵌挿されるよう他方の接合面に突設された嵌挿突部５ｂとを備えてなるので、脚部３の両端部同士の接合固定がしっかりとしたものとなる。
【００１１】
特に、他方の接合面に突設された嵌挿突部５ｂを、複数の折り込み部４が形成されている側と同じ面に配置させることで、外側から嵌挿突部５ｂが内側に位置する嵌挿孔部５ａに嵌挿される状態となるから、組み付け後には嵌挿突部５ｂが外部から見えず、脚部３自体の見栄えを良好にすることができる。
【００１２】
折り込み部４は、脚部３の各角部位置に対応して２条が並行となったＶ字溝条によって形成され、その開口角度が４５度に形成されているので、折り込み部４を介しての折り込み成形後には脚部３の各角部に切欠平坦面を容易に形成することができる。
【００１３】
台部２の底盤１１には、これを中央から２つに折り畳み可能とする切溝部１３が形成されてなるので、脚部３および周壁部１２と共にそれぞれがコンパクトに折り畳めるから、不使用時の際の収納保管性が向上するものとなる。
【００１４】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１５】
以下、図面を参照して本発明を実施するための最良の一形態を説明する。図において示される符号１は、鏡餅を飾るための本発明に係る組立式の鏡餅用三方を構成する三方本体である。該三方本体１は、図１に示すように、鏡餅を載置するための例えばＡＢＳ等のプラスチック製部材により上面から見て略正方形の皿状に形成された台部２と、例えばＰＰ（ポリプロピレン）樹脂等のプラスチック製部材からなる長方形の板片を後述する折り込み部４によって折り曲げてその両端部を固定部５を介して接合することによって上面から見て台部２よりも一回り小さい略正方形の枠状に組立られた脚部３とからなる。
【００１６】
脚部３は、図２（ａ）および図２（ｂ）の展開図に示すように、長方形の板片表面に等間隔離れた４箇所に、互いに近接して２条並行となった折り込み部４が形成され、折り込み部４が角部における面取りとなる前後左右それぞれの側壁となる４個の壁部分が形成されている。折り込み部４は開口角度が例えば４５度のＶ字溝条となって形成されていることでヒンジ構造のものとなっており、脚部３自体の素材を例えばＰＰ樹脂とすることで、木片、紙片等を素材とすることによる脆弱性を回避するようにしている。そして、当該折り込み部４の折り込みによって脚部３が略角筒状に折り曲げられた際には、脚部３の各角部位置が２条並行となった折り込み部４同士によって面取り部となる切欠平坦面となり、且つこれら４箇所の折り込み部４を介して中央に三方正面、両側に三方側面の各壁が形成され、これによって脚部３全体は略八角形の角筒に形成される。
【００１７】
また、脚部３の両端部には、当該両端部同士を接合して固定するための固定部５を設けてある。この固定部５は、図２（ｂ）の展開図に示すように、脚部３の裏側一端およびこれと接合対向面となる表側他端がそれぞれ段差８によって肉薄となって形成されており、表側他端には、上下一対の嵌挿孔部５ａが形成され、裏側一端にはこの嵌挿孔部５ａに嵌挿される上下一対の嵌挿突部５ｂが突設されている。この嵌挿突部５ｂは、図２（ｄ）の断面図に示すように、根元部分が嵌挿孔部５ａの開口径と略同じ大きさであって、頭部が若干膨らんだ形状となっており、嵌挿孔部５ａに対して強制的に嵌め込まれ、嵌め込み後は抜脱されないようにしてある。また、図２（ａ）の展開図および図２（ｃ）の断面図に示すように、脚部３を形成する４つの面のうち、固定部５が設けられていない３つの面の略中央には、所定形状の飾り穴７がそれぞれ開口形成されている。そして、飾り穴７の位置によって、三方の正面側、側面側を簡単に判別できるようになっている。
【００１８】
台部２は、図１および図４に示すように、底盤１１と周壁部１２とが一体となった略四角皿状に形成されており、各角部は角筒状に組み立てられた脚部３の各角部に対応して切欠平坦面となっている。そして、台部２の下面には突起片による矩形枠状の嵌合連結部６を下方に向けて突設し、角筒状に組み立てられた脚部３の上側開口端を嵌合連結部６の内側あるいは外側に嵌合させることで三方本体１が形成されるものとしてある。
【００１９】
不使用の際あるいは販売・提供時等には、図５に示すように、脚部３を台部２の嵌合連結部６から取り外して、当該脚部３の固定部５を開放させ、前記折り込み部４をＶ字溝条形成面側と反対側に折り込むことでコンパクトに折り畳んでから台部２上面内に載せておき、必要に応じて包装するか、もしくは梱包箱に収容するかして保管できるようにしてある。
【００２０】
次に、以上のように構成された最良の形態についての組立、使用の一例について説明する。三方本体１の組立に際し、先ず、図３に示すように、脚部３を折り込み部４の折り込みによって略角筒状に折り曲げてから固定部５における両端部の接合対向面同士を接合させ、表側他端の嵌挿孔部５ａに裏側一端の嵌挿突部５ｂを強制的に嵌め込む。そして、図４に示すように、台部２下面における矩形枠状の嵌合連結部６に、角筒状に組み立てられた脚部３の上側開口端を嵌合することで三方本体１が形成される。
【００２１】
また、不使用による保管の際には、脚部３を台部２の嵌合連結部６から取り外して、当該脚部３の固定部５を開放させてから、前記折り込み部４をＶ字溝条形成面側と反対側に折り込むことでコンパクトに折り畳んでおき、この折り畳まれた脚部３は台部２上面の空間部内に載せてから、必要に応じて包装するか、もしくは梱包箱に収容するかして保管する。
【００２２】
また、図６乃至図９は、組立式の鏡餅用三方の他の例が示されている。尚、上記した構成と同様の部分には同じ符号を付し、その詳細な説明を省略する。
【００２３】
この例においては、台部２の周壁部１２が底盤１１と分離可能な構成となっており、周壁部１２は前記した脚部３と同じようなヒンジ構成となる折り込み部４を介してコンパクトに折り畳まれ、底盤１１は二つに折り畳まれるようにすることで収納性を向上させている。
【００２４】
すなわち、周壁部１２は、図７（ａ）および図７（ｂ）の展開図に示すように、帯形の板片表面に等間隔離れた４箇所に、互いに近接して２条並行となった折り込み部４が形成されている。この折り込み部４は開口角度が例えば４５度のＶ字溝条となって形成されており、当該折り込み部４の折り込みによって周壁部１２は略枠状に折り曲げられた際には、周壁部１２の各角部位置が２条並行となった折り込み部４同士によって切欠平坦面となり、且つこれら４箇所の折り込み部４を介して前後左右の壁面が形成され、これによって周壁部１２全体は略八角形の枠に形成される。このとき、底盤１１の平面形状も周壁部１２の枠形状に対応して略八角形の板面に形成されている。
【００２５】
そして、図６および図８に示すように、周壁部１２裏面において２条並行の折り込み部４を介して区画された各壁面の下側には断面略円弧凹状となった横長の溝部１４が左右一対となって凹設され、底盤１１の前後左右の縁側から外方に向けて突設した各一対の横長の突部１５をこの溝部１４に嵌合させることによって皿状の台部２が形成されるようにしてある。尚、台部２の下面に突設された嵌合連結部６は、底盤１１の前後側に左右一対で、左右側に１つで形成され、合計６個の板片が枠状に沿って離隔配置された構成となっている。
【００２６】
また、底盤１１の中央には、図９（ａ）および図９（ｂ）に示すように、嵌合連結部６である底盤１１前後側の左右一対の板片同士の中央を横切るようにして下面側から例えば約０．３ｍｍ程度を残して切溝部１３を形成してあり、収納に際し、この切溝部１３によって中央から２つに折り畳み可能となるようにしてある。
【００２７】
三方本体１の組立に際し、先ず、脚部３を折り込み部４の折り込みによって略角筒状に折り曲げてから固定部５における両端部の接合対向面同士を接合させ、表側他端の嵌挿孔部５ａに裏側一端の嵌挿突部５ｂを強制的に嵌め込む。
【００２８】
この脚部３の形成と同様にして、周壁部１２を折り込み部４の折り込みによって略角筒状に折り曲げてから固定部５における両端部の接合対向面同士を接合させ、表側他端の嵌挿孔部５ａに裏側一端の嵌挿突部５ｂを強制的に嵌め込む。
【００２９】
図９（ａ）および図９（ｂ）に示すように、底盤１１を中央の切溝部１３を介して展開しておき、図６に示すように、底盤１１の前後左右の縁側にある突部１５を周壁部１２の溝部１４に嵌合することによって台部２が形成される。
【００３０】
そして、図６および図８に示すように、台部２下面における嵌合連結部６に、角筒状に組み立てられた脚部３の上側開口端を嵌合することで三方本体１が形成される。
【００３１】
また、不使用による保管の際には、脚部３を台部２の嵌合連結部６から取り外して、当該脚部３の固定部５を開放させてから、前記折り込み部４をＶ字溝条形成面側と反対側に折り込むことでコンパクトに折り畳んでおく。
【００３２】
一方、台部２は、周壁部１２の固定部５を開放し、次いで溝部１４から突部１５を外して周壁部１２と底盤１１とを分離し、その後、周壁部１２は折り込み部４位置にてＶ字溝条形成面側と反対側に折り込むことでコンパクトに折り畳んでおく。また、底盤１１は、図９（ａ）および図９（ｂ）に示すように、切溝部１３を介して中央から２つに折り畳んでおく。
【００３３】
このように折り畳まれた脚部３、周壁部１２、底盤１１それぞれは、必要に応じて包装され、梱包箱に収容して保管される。
【００３４】
尚、本発明は上記した実施の形態によって限定されるものではなく、種々の変形実施が可能である。例えば、折り込み部４の形状、数、位置などは図示したものに限らず、本発明の思想の範囲内で変形可能である。
【図面の簡単な説明】
【００３５】
【図１】本発明を実施するための最良の形態における鏡餅用三方の使用状態を示す斜視図である。
【図２】同じく脚部の一例を示し、（ａ）は展開側面図、（ｂ）は展開平面図、（ｃ）は（ａ）のＡ−Ａ断面図、（ｄ）は（ａ）のＢ−Ｂ断面図である。
【図３】同じく脚部の組立状態を示す斜視図である。
【図４】同じく台部下面に脚部を取り付ける状態を示す断面図である。
【図５】同じく折り畳んだ脚部を台部上面内に収納する状態を示す斜視図である。
【図６】他例による鏡餅用三方を示す分解斜視図である。
【図７】同じく台部の周壁部の一例を示し、（ａ）は一部省略の展開側面図、（ｂ）は一部省略の展開平面図である
【図８】同じく台部下面に脚部を取り付ける状態を示す断面図である。
【図９】同じく台部の折り畳み可能とした底盤の一例を示し、（ａ）は折り畳んだ状態の側面図、（ｂ）は展開した状態の側面図である。
【符号の説明】
【００３６】
１…三方本体                            ２…台部
３…脚部                                ４…折り込み部
５…固定部                              ５ａ…嵌挿孔部
５ｂ…嵌挿突部                          ６…嵌合連結部
７…飾り穴                              ８…段差
１１…底盤                              １２…周壁部
１３…切溝部                            １４…溝部
１５…突部
【図１】
2009207648.tif 000003
【図２】
2009207648.tif 000004
【図３】
2009207648.tif 000005
【図４】
2009207648.tif 000006
【図５】
2009207648.tif 000007
【図６】
2009207648.tif 000008
【図７】
2009207648.tif 000009
【図８】
2009207648.tif 000010
【図９】
2009207648.tif 000011